(57)【要約】【課題】導電線固定用のねじを弛めて導電線押え金具を端子金具から離間させたときにその離間状態を維持する導電線接続作業性及び端子台取付け対象のプリント配線基板等との間の絶縁性を従来通り維持しながら、高さを従来品よりも大幅に低くし、かつ端子台の軽量化及びコストの低減を図る。【解決手段】複数の端子金具４を絶縁体からなる本体５に整列状態で固定してなり夫々の端子金具４に対しねじ６を用いて導電線８を接続するように構成し、端子金具４との間に導電線８を挾むことができるようにねじ６に取り付けられた導電線押え金具２と、端子金具４の側方に配設され少なくともねじ６が端子金具４に螺合していない状態においては導電線押え金具２を端子金具４から離間させる方向に付勢する爪部３ａが導電線押え金具２に係合するように構成された爪状弾性体３とを備えた構成を特徴とする。【選択図】　　　　図１４
2004095211.tif 000002
【特許請求の範囲】
【請求項１】
複数の端子金具を絶縁体からなる本体に整列状態で固定してなり夫々の前記端子金具に対してねじを用いて導電線を接続するように構成された端子台において、前記端子金具との間に前記導電線を挾むことができるように前記ねじに取り付けられた導電線押え金具と、前記端子金具の側方に配設され少なくとも前記ねじが前記端子金具に螺合していない状態においては前記導電線押え金具を前記端子金具から離間させる方向に付勢する爪部が前記導電線押え金具に係合するように構成された爪状弾性体とを備えたことを特徴とする端子台。
【請求項２】
複数の端子金具を絶縁体からなる本体に整列状態で固定してなり夫々の前記端子金具に対してねじを用いて導電線を接続するように構成された端子台において、前記端子金具との間に前記導電線を挾むことができるように前記ねじに取り付けられた導電線押え金具と、前記端子金具の側方に配設され前記ねじが前記端子金具に螺合していない状態においては前記導電線押え金具を前記端子金具から離間させる方向に付勢する爪部が前記導電線押え金具に係合し前記ねじが前記端子金具に螺合している状態においては前記爪部は前記導電線押え金具に係合せずその側面に単に当接することで付勢力が無効化されるように構成された爪状弾性体とを備えたことを特徴とする端子台。
【請求項３】
複数の端子金具を絶縁体からなる本体に整列状態で固定してなり夫々の前記端子金具に対してねじを用いて導電線を接続するように構成された端子台において、前記端子金具との間に前記導電線を挾むことができるように前記ねじに取り付けられた導電線押え金具と、前記端子金具の側方に配設されると共に前記ねじが前記端子金具に螺合していない状態においては前記導電線押え金具を前記端子金具から離間させる方向に付勢する爪部が前記導電線押え金具に係合し前記ねじが前記端子金具に螺合している状態においては前記爪部は前記導電線押え金具に係合せずその側面に単に当接することで付勢力が無効化されるように構成された合成樹脂製の爪状弾性体とを備えたことを特徴とする端子台。
【請求項４】
複数の端子金具を絶縁体からなる本体に整列状態で固定してなり夫々の前記端子金具に対してねじを用いて導電線を接続するように構成された端子台において、前記端子金具との間に前記導電線を挾むことができるように前記ねじに取り付けられた導電線押え金具と、前記端子金具の側方に配設されると共に前記ねじが前記端子金具に螺合していない状態においては前記導電線押え金具を前記端子金具から離間させる方向に付勢する爪部が前記導電線押え金具に係合し前記ねじが前記端子金具に螺合している状態においては前記爪部は前記導電線押え金具に係合せずその側面に単に当接することで付勢力が無効化されるように構成された金属製の爪状弾性体と、前記本体の取付け対象物との接触部にインサートされた合成樹脂製の絶縁部材とを備え、前記導電線接続時に前記端子金具と電気的に導通している前記爪状弾性体とプリント配線基板との電気絶縁性を確保するように構成したことを特徴とする端子台。
【発明の詳細な説明】
【０００１】
【発明の属する技術分野】
本発明は、ねじを弛めることで導電線押え金具がばね力により大きく上昇してその状態で端子金具からの離間高さが維持されるようにしたいわゆる「ねじアップ機構」付きの端子台に係り、特に従来の導電線押え金具離間用のコイルばねに代えて該導電線押え金具の側方に配置した爪状弾性体を用い、該爪状弾性体により該離間作用を行わせることで、導電線固定用のねじを弛めて導電線押え金具を端子金具から離間させたときにその離間状態を維持する導電線接続作業性及び端子台取付け対象のプリント配線基板等との間の絶縁性を従来通り維持しながら、高さを従来品よりも大幅に低くすることができ、しかもコストの低減を図ることが可能な端子台に関する。
【０００２】
【従来の技術】
端子台は、プリント配線基板や電源ユニット、配電盤等の入出力用接点として一般に広く用いられており、その種類は端子数、形状、導線接続形態等の違いによって非常に多岐にわたる。
【０００３】その一種として、特願平９−３５７８０に開示されているような、いわゆるねじアップ機構付きの端子台が一般に提供されている。このねじアップ機構は、ねじにかしめられた導電線押え金具に対し、ねじの下方に配設されたコイルばねのばね力が及ぶようにしておき、導電線押え金具が、ねじが端子金具と螺合している間は該ねじに伴って上下動し、螺合しなくなったときにコイルばねにより持ち上げられ端子金具から離間しかつその離間高さが維持されるようにし、導電線を差し込み易くして端子台への導電線の接続作業を容易にしたものである。
【０００４】しかし従来のねじアップ機構付きの端子台では、ねじが端子金具に螺合していてコイルばねによる付勢が不要なときまで該コイルばねの付勢力が導電線押え金具に作用していたため、導電線が接続され使用状態におかれた場合に、ねじを弛めようとする余分な力が本体等に作用し続けるという問題があった。
【０００５】またコイルばねは、ねじの下方、即ち持ち上げようとする導電線押さえ金具の下方に配置する以外に方法がなかったので、コイルばねの圧縮時の高さの分だけはどうしても端子台の全高が高くなり、この結果重量が増すばかりでなく、プリント配線基板への実装上非常に不利であり、省スペース化が妨げられるという問題があった。
【０００６】
【発明が解決しようとする課題】
本発明は、上記した従来技術の欠点を除くためになされたものであって、その目的とするところは、複数の端子金具を絶縁体からなる本体に整列状態で固定してなり夫々の端子金具に対してねじを用いて導電線を接続するように構成された端子台において、端子金具との間に導電線を挾むことができるようにねじに取り付けられた導電線押え金具と、端子金具の側方に配設され少なくともねじが端子金具に螺合していない状態においては導電線押え金具を端子金具から離間させる方向に付勢する爪部が導電線押え金具に係合するように構成された爪状弾性体とを備えることによって、導電線固定用のねじを弛めて導電線押え金具を端子金具から離間させたときにその離間状態を維持する良好な導電線接続作業性を維持しながら、端子台の高さを、コイルばねを用いたねじアップ機構付きの従来品よりも大幅に低くすることであり、またこれによって省スペース化と軽量化を図り、コイルばねを廃止することで端子台のコストの低減を図ることである。
【０００７】また他の目的は、上記構成において、ねじが端子金具に螺合していない状態においては導電線押え金具を端子金具から離間させる方向に付勢する爪部が導電線押え金具に係合しねじが端子金具に螺合している状態においては爪部は導電線押え金具に係合せずその側面に単に当接することで付勢力が無効化されるように構成された爪状弾性体を備えることによって、付勢力が必要なときだけ導電線押え金具に該付勢力が作用し、ねじを回す際には余計な抵抗力が作用しないようにすると共に、導電線を接続して使用状態におかれた端子台内でねじを弛めようとする余計な力が作用し続けることがないようにすることである。
【０００８】更に他の目的は、上記構成において、爪状弾性体を合成樹脂製のものとすることによって、取付け対象物であるプリント配線基板の配線パターンの設計等を、端子台との電気絶縁を心配することなく行うことができるようにすることである。
【０００９】また他の目的は、上記構成において、金属製の爪状弾性体を用い、本体の取付け対象物との接触部に合成樹脂製の絶縁部材をインサートすることによって、爪状弾性体の耐久性を向上させると共に、導電線接続時に端子金具と電気的に導通する導電線押え金具及び爪状弾性体が、近接するプリント配線基板の配線パターン等と短絡しないようにして、プリント配線基板の配線パターンの設計等において端子台との電気絶縁を心配する必要性をなくすことである。
【００１０】
【課題を解決するための手段】
要するに本発明（請求項１）は、複数の端子金具を絶縁体からなる本体に整列状態で固定してなり夫々の前記端子金具に対してねじを用いて導電線を接続するように構成された端子台において、前記端子金具との間に前記導電線を挾むことができるように前記ねじに取り付けられた導電線押え金具と、前記端子金具の側方に配設され少なくとも前記ねじが前記端子金具に螺合していない状態においては前記導電線押え金具を前記端子金具から離間させる方向に付勢する爪部が前記導電線押え金具に係合するように構成された爪状弾性体とを備えたことを特徴とするものである。
【００１１】また本発明（請求項２）は、複数の端子金具を絶縁体からなる本体に整列状態で固定してなり夫々の前記端子金具に対してねじを用いて導電線を接続するように構成された端子台において、前記端子金具との間に前記導電線を挾むことができるように前記ねじに取り付けられた導電線押え金具と、前記端子金具の側方に配設され前記ねじが前記端子金具に螺合していない状態においては前記導電線押え金具を前記端子金具から離間させる方向に付勢する爪部が前記導電線押え金具に係合し前記ねじが前記端子金具に螺合している状態においては前記爪部は前記導電線押え金具に係合せずその側面に単に当接することで付勢力が無効化されるように構成された爪状弾性体とを備えたことを特徴とするものである。
【００１２】また本発明（請求項３）は、複数の端子金具を絶縁体からなる本体に整列状態で固定してなり夫々の前記端子金具に対してねじを用いて導電線を接続するように構成された端子台において、前記端子金具との間に前記導電線を挾むことができるように前記ねじに取り付けられた導電線押え金具と、前記端子金具の側方に配設されると共に前記ねじが前記端子金具に螺合していない状態においては前記導電線押え金具を前記端子金具から離間させる方向に付勢する爪部が前記導電線押え金具に係合し前記ねじが前記端子金具に螺合している状態においては前記爪部は前記導電線押え金具に係合せずその側面に単に当接することで付勢力が無効化されるように構成された合成樹脂製の爪状弾性体とを備えたことを特徴とするものである。
【００１３】また本発明（請求項４）は、複数の端子金具を絶縁体からなる本体に整列状態で固定してなり夫々の前記端子金具に対してねじを用いて導電線を接続するように構成された端子台において、前記端子金具との間に前記導電線を挾むことができるように前記ねじに取り付けられた導電線押え金具と、前記端子金具の側方に配設されると共に前記ねじが前記端子金具に螺合していない状態においては前記導電線押え金具を前記端子金具から離間させる方向に付勢する爪部が前記導電線押え金具に係合し前記ねじが前記端子金具に螺合している状態においては前記爪部は前記導電線押え金具に係合せずその側面に単に当接することで付勢力が無効化されるように構成された金属製の爪状弾性体と、前記本体の取付け対象物との接触部にインサートされた合成樹脂製の絶縁部材とを備え、前記導電線接続時に前記端子金具と電気的に導通している前記爪状弾性体とプリント配線基板との電気絶縁性を確保するように構成したことを特徴とするものである。
【００１４】
【発明の実施の形態】
以下本発明を図面に示す実施例に基いて説明する。本発明の第１実施例に係る端子台１は、図１から図１５において、導電線押え金具２と、爪状弾性体３とを備え、複数の端子金具４を絶縁体からなる本体５に整列状態で固定してなり、夫々の端子金具４に対してねじ６を用いて導電線８を接続するように構成されている。
【００１５】導電線押え金具２は、図１から図３、図５及び図６に示すように、端子金具４との間に導電線８を挾むことができるようにねじ６に取り付けられたものであって、例えば黄銅板を加工して水平部２ａと垂直部２ｂとをＬ字形に一体的に形成したものである。
【００１６】水平部２ａは、端子金具４との間に導電線８を挾む部分であって、例えばばね座金９と共にねじ６が貫通して取り付けられ、例えばかしめ加工により該ねじ６が水平部２ａから抜けないようになっている。
【００１７】垂直部２ｂは、導電線押え金具２が本体５に対して円滑に上下動できるように平面に構成され、端子金具４が爪状弾性体３によって持ち上げられた際に端子金具４に引掛かるように、下端２ｃが内側に折り曲げられている。
【００１８】垂直部２ｂの高さは、導電線押え金具２と端子金具４との間に導電線８を支障なく差し込むことができるように定められる。そして導電線押え金具２は、垂直部２ｂが本体５の後側面５ａと平行に接するように取り付けられている。
【００１９】爪状弾性体３は、図３及び図５から図８に示すように、端子金具４の側方に配設されると共に、ねじ６が端子金具４に螺合していない状態においては導電線押え金具２を端子金具４から離間させる方向に付勢する爪部３ａが導電線押え金具２に係合し、ねじ６が端子金具４に螺合している状態においては爪部３ａは導電線押え金具２に係合せずその側面（垂直部２ｂ）に単に当接することで付勢力が無効化されるように構成された合成樹脂製のものである。
【００２０】爪状弾性体３は、例えば本体５の後側面５ａと面一になるように、該本体５の下側から矢印Ａ方向に挿入されており、係合部３ｅが本体５の係合穴５ｄと係合することで抜止めがなされている。本体への取付け状態において、下端３ｂは本体５の底面５ｂと面一になっている。爪部３ａは、根本３ｃから垂下すると共に、斜め下方に湾曲して形成されており、その周囲は、根本３ｃを除いて貫通穴３ｄとなっている。
【００２１】爪部３ａは、自由状態においては、図８及び図１４に示すように、端子金具４側に突出しており、導電線押え金具２を上方に付勢できるようになっている。またねじ６が端子金具４に螺合しているときには、図１５に示すように、導電線押え金具２の垂直部２ｂによって弾性変形させられて貫通穴３ｄ内に押し込まれ、該垂直部２ｂに単に当接するようになっている。
【００２２】端子金具４は、黄銅板等の導電性の良好な素材を加工して製作され、図４、図６及び図９に示すように、バーリング部分にめねじ４ａが形成された水平部４ｂと、該水平部４ｂに連続し抜止め用の鋸歯部４ｅが夫々形成された左右の垂直部４ｃ，４ｄとが形成され、更に垂直部４ｃには、図２から図７及び図９に示すように、本体５の底面穴５ｃから下方に突出するリード部４ｆが一体的に形成されている。
【００２３】水平部４ｂの奥側の辺は、導電線押え金具２の垂直部２ｂを通すための切欠き４ｇが形成されている。
【００２４】本体５は、例えばＰＢＴ（ポリブチレンテレフタレート）等の絶縁材料を成形して複数の端子金具４を直列に取付け可能に構成したものであって、図１から図６及び図１１から図１３に示すように、各隔壁５ｅには、端子金具４を圧入し易くするための溝部５ｆと、導電線押え金具２の上下動を案内するためのガイド部５ｇが形成されている。
【００２５】本体５の後側面５ａには、底面５ｂ側から爪状弾性体３を挿入するための弾性体取付け溝５ｈが形成され、底面５ｂには、端子金具４のリード部４ｆを通して下方に突出させるための底面穴５ｃが形成されている。
【００２６】このほか本体５には、端子金具４の取付け高さを定める台座部５が形成され、構造上肉厚になってしまう部分には、肉抜き穴５ｊが形成されている。
【００２７】本発明の第２実施例に係る端子台１２は、図１６から図１９において、金属製（金属としては銅、黄銅、ベリリウム銅、ステンレス鋼等が用いられる。）の爪状弾性体１３と、絶縁部材１４とを備え、複数の端子金具４を絶縁体からなる本体５に整列状態で固定してなり、夫々の端子金具４に対しねじ６を用いて導電線８を接続するように構成されている。
【００２８】爪状弾性体１３は、端子金具４の側方に配設されると共に、ねじ６が端子金具４に螺合していない状態においては導電線押え金具２を端子金具４から離間させる方向に付勢する爪部１３ａが導電線押え金具２に係合し、ねじ６が端子金具４に螺合している状態においては爪部１３ａは導電線押え金具２に係合せずその側面（垂直部２ｂ）に単に当接することで付勢力が無効化されるように構成されたものであって、金属製であるために薄く形成され、かつ大きな耐久性及び導電性を有している。
【００２９】爪状弾性体１３は、本体５の後側面５ａの弾性体取付け溝５ｈに下側から挿入されており、後側に突出した係合部１３ｅが本体５の係合穴５ｄと係合することで抜止めがされている。下端１３ｂには、絶縁部材１４が一体成形によりインサートされて固着されている。爪部１３ａは、根本１３ｃから垂下すると共に、斜め下方に湾曲して形成されており、その周囲は、根本１３ｃを除いて貫通穴１３ｄとなっている。
【００３０】爪部１３ａは、自由状態においては、図１６及び図１８に示すように、端子金具４側に突出しており、導電線押え金具２を上方に付勢できるようになっている。またねじ６が端子金具４に螺合しているときには、図１９に示すように、導電線押え金具２の垂直部２ｂによって弾性変形させられて貫通穴１３ｄ内に引込み、該垂直部２ｂに単に当接するようになっている。
【００３１】絶縁部材１４は、図１７から図１９に示すように、本体５の取付け対象物（図示せず）との接触部１５にインサートされた合成樹脂製のものであって、爪状弾性体１３とプリント配線基板等との間を絶縁するために用いられるものである。
【００３２】この第２実施例では、絶縁部材１４の溝１４ａに爪状弾性体１３の下端１３ｂが差し込まれ、爪状弾性体１３の下端１３ｂに取り付けられた状態で本体５にインサートされ、本体５の底面５ｂと面一となって、爪状弾性体１３が全く露出しないようになっている。
【００３３】他の部分については、第１実施例と同様であるので、同一の部分には図面に同一の符号を付して、その説明を省略する。
【００３４】本発明は、上記のように構成されており、以下その作用について説明する。本発明の第１実施例に係る端子台１の作用について説明すると、図１５に示すように、ねじ６が端子金具４のめねじ４ａに最後まで締め込まれているときには、導電線押え金具２の水平部２ａは端子金具４の水平部４ｂに当接し、垂直部２ｂは爪状弾性体３の爪部３ａを貫通穴３ｄ内に押し込めている。
【００３５】この状態では、爪部３ａは単に垂直部２ｂに当接しているだけであり、導電線押え金具２をアップさせるための付勢力は無効化されている。
このため、ねじ６の締付け状態においては、ねじ６を弛めようとする余計な力が爪状弾性体１３から押え金具２に作用することは全くない。
【００３６】ここで図１４に示すように、ねじ６を弛めて行くと、やがて螺合していためねじ４ａから外れる。ちょうどこのときに、爪状弾性体３の爪部３ａがばね力によって導電線押え金具２の下端２ｃの下に入り込み、該導電線押え金具２、ねじ６及びばね座金９を持ち上げて行く。導電線押え金具２の下端２は折り曲げられているので、導電線押え金具２は端子金具４の水平部４ａに当接したところで停止する。これがねじアップ状態であり、爪状弾性体３によってこのアップ状態、即ち端子金具４からの導電線押え金具２の離間高さが維持される。このように、爪状弾性体３の付勢力は、その付勢力が必要となったとき、即ちねじ６の螺合が外れて導電線押え金具２の支えがなくなってしまったときにのみ発揮される。
【００３７】なお本体５には、ガイド部５ｇが形成されているので、導電線押え金具２は、ねじ６が端子金具４から外れていても手前側に傾くことがなく、端子金具４と平行な状態となっている。
【００３８】次に、図７及び図１０に示すように、プリント配線基板１０にリード部４ｆを半田付けされた端子台１に、実際に導電線８を接続する場合の作用について説明する。導電線押え金具２がアップ状態にあると、該導電線押え金具２と端子金具４との間には、導電線８を差し込むために十分な隙間が確保されているため、導電線８を差し込むことは容易である。なお、図面においては、特に示していないが、圧着端子（図示せず）を使用することも可能である。
【００３９】ドライバ１１を用いて、爪状板ばね１３の付勢力に抗してねじ６を下に押し、端子金具４に当たったところで回すことにより、ねじ６は端子金具４のめねじ４ａと螺合し始める。このとき導電線押え金具２の下端２ｃは、爪状弾性体３の爪部３ａを通り過ぎ、該爪部３ａは貫通穴３ｄ内に押し込まれて、導電線押え金具２の垂直部２ｂに単に当接した状態となるので、導電線押え金具２をアップさせるための付勢力は無効化される。
【００４０】即ち、ねじ６が端子金具４に螺合している間は、爪状弾性体３の付勢力は無効化されるので、ねじ６を回す際の抵抗とはならず、またねじ６を完全に締め付けて導電線８を接続が完了した状態であっても、コイルばねを用いた従来例のように、例えばねじ６を弛めようとするような、本体５に対して悪影響を及ぼす余計な力が作用し続けることはない。
【００４１】爪状弾性体３の材質は、合成樹脂等の絶縁体であるため、金属ばねを用いるよりも低コストで済み、また本体５の底面５ｂに露出していても、プリント配線基板１０のパターン（図示せず）と導電線押え金具２は電気的に絶縁されている。これによってパターン設計を、端子台１との絶縁を心配することなく行うことができる。
【００４２】端子台１においては、爪状弾性体３を端子金具４の側方に配置したので、コイルばねを用いた従来例よりも端子台１の高さを低くすることができ、軽量化、省スペース化が可能となる。例えばＭ４のねじ６を用いた端子台の場合、２９ｍｍから２３ｍｍへと、６ｍｍも低くすることが可能である。
【００４３】次に本発明の第２実施例に係る端子台１２の作用について説明すると、爪状弾性体１３による導電線押え金具２をアップさせること及びねじ６が端子金具４と螺合している間は爪状弾性体１３の付勢力が無効化されること等、基本的な作用は本発明の第１実施例と同様である。
【００４４】本実施例においては、爪状弾性体１３を金属製としているので、合成樹脂を用いる場合よりもコスト高となるが、導電線８の接続及び取外しを頻繁に行う用途に用いる場合には、爪部１３ａに作用する応力の繰返し数が多くなることから、該繰返し曲げ応力に対する耐久性が高く、爪状弾性体１３の爪部１３ａが折れるおそれがないので、長期にわたり安定した性能を確保することができる。
【００４５】爪状弾性体１３の下端１３ｂには、絶縁部材１４が固着され、本体５の底面５ｂには金属部分が全く露出しないので、導電線押え部材２とプリント配線基板等（図示せず）とは電気的に絶縁される。これによってプリント配線基板のパターン設計を、端子台１２との絶縁を心配することなく行うことができる。
【００４６】なお、上記実施例においては、爪状弾性体３，１３を、主としてプリント配線基板用の端子台１，１２に配設するものとして説明したが、これに限るものではなく、ねじのみの中継端子台、ラグ端子台、タブ端子台又はラッピング端子台等に用いることも可能である。
【００４７】またねじ６及び導電線押え金具２は上下方向に動くものとしたが、これに限るものではなく、前後方向や斜め方向等に動く形式であってもよい。
【００４８】
【発明の効果】
本発明は、上記のように複数の端子金具を絶縁体からなる本体に整列状態で固定してなり夫々の端子金具に対してねじを用いて導電線を接続するように構成された端子台において、端子金具との間に導電線を挾むことができるようにねじに取り付けられた導電線押え金具と、端子金具の側方に配設され少なくともねじが端子金具に螺合していない状態においては導電線押え金具を端子金具から離間させる方向に付勢する爪部が導電線押え金具に係合するように構成された爪状弾性体とを備たので、導電線固定用のねじを弛めて導電線押え金具を端子金具から離間させたときにその離間状態を維持する良好な導電線接続作業性を維持しながら、端子台の高さを、コイルばねを用いたねじアップ機構付きの従来品よりも大幅に低くすることができる効果があり、またこの結果省スペース化と軽量化を図ることができ、またコイルばねを廃止することで端子台のコストの低減を図ることができる効果が得られる。
【００４９】また上記構成において、ねじが端子金具に螺合していない状態においては導電線押え金具を端子金具から離間させる方向に付勢する爪部が導電線押え金具に係合し、ねじが端子金具に螺合している状態においては爪部は導電線押え金具に係合せずその側面に単に当接することで付勢力が無効化されるように構成された爪状弾性体を備えたので、付勢力が必要なときだけ導電線押え金具に該付勢力が作用し、ねじを回す際には余計な抵抗力が作用しないという効果があると共に、導電線を接続して使用状態におかれた端子台内でねじを弛めようとする余計な力が作用し続けることがないという優れた効果がある。
【００５０】更には、上記構成において、爪状弾性体を合成樹脂製のものとしたので、取付け対象物であるプリント配線基板の配線パターンの設計等を、端子台との電気絶縁を心配することなく行うことができるという効果がある。
【００５１】また上記構成において、金属製の爪状弾性体を用い、本体の取付け対象物との接触部に合成樹脂製の絶縁部材をインサートしたので、爪状弾性体の耐久性を向上させることができると共に、導電線接続時に端子金具と電気的に導通する導電線押え金具及び爪状弾性体が、近接するプリント配線基板の配線パターン等と短絡しないため、プリント配線基板の配線パターンの設計等において端子台との電気絶縁を心配する必要性をなくすことができる効果がある。
【図面の簡単な説明】
【図１】図１から図１５は、本発明の第１実施例に係り、図１は端子台の斜視図である。
【図２】端子台の部分縦断面正面図である。
【図３】端子台の縦断面図である。
【図４】端子金具が取り付けられた本体の部分破断斜視図である。
【図５】端子金具に導電線押え金具及びねじを取り付け、爪状弾性体を挿入する状態を示す部分破断斜視図である。
【図６】本体の一部を破断した端子台の分解斜視図である。
【図７】プリント配線基板に半田付けされた端子台において、爪状弾性体によってアップ状態の導電線押え金具と端子金具との間に導電線を差し込み、ドライバによりねじを回して導電線押え金具を締め付けようとしている状態を示す部分破断斜視図である。
【図８】爪状弾性体の斜視図である。
【図９】端子金具の斜視図である。
【図１０】プリント配線基板に半田付けされた端子台において、爪状弾性体によってアップ状態の導電線押え金具と端子金具との間に導電線を差し込み、ドライバによりねじを回して導電線押え金具を締め付けようとしている状態を示す部分破断斜視図である。
【図１１】本体の部分縦断面平面図である。
【図１２】本体の部分縦断面正面図である。
【図１３】本体の縦断面図である。
【図１４】ねじが端子金具から外され、爪状弾性体によってアップ状態となった端子台の縦断面図である。
【図１５】ねじが最後まで締め付けられ、ねじと共に下降した導電線押え金具の垂直部によって、爪状弾性部材の爪部が貫通穴内に押し込まれ、単に垂直部に当接している状態を示す端子台の縦断面図である。
【図１６】図１６から図１９は、本発明の第２実施例に係り、図１６は爪状弾性体（金属部分のみ）の斜視図である。
【図１７】絶縁部材の斜視図である。
【図１８】絶縁部材が固着された爪状弾性体の縦断面図である。
【図１９】ねじが最後まで締め付けられ、ねじと共に下降した導電線押え金具の垂直部によって、爪状弾性部材の爪部が貫通穴内に押し込まれ、単に垂直部に当接している状態を示す端子台の縦断面図である。
【符号の説明】
１　　端子台
２　　導電線押え金具
３　　爪状弾性体
３ａ　爪部
４　　端子金具
５　　本体
６　　ねじ
１２　　端子台
１３　　爪状弾性体
１３ａ　爪部
１４　　絶縁部材
【図１】
2004095211.tif 000003
【図２】
2004095211.tif 000004
【図３】
2004095211.tif 000005
【図４】
2004095211.tif 000006
【図５】
2004095211.tif 000007
【図６】
2004095211.tif 000008
【図７】
2004095211.tif 000009
【図８】
2004095211.tif 000010
【図９】
2004095211.tif 000011
【図１０】
2004095211.tif 000012
【図１１】
2004095211.tif 000013
【図１２】
2004095211.tif 000014
【図１３】
2004095211.tif 000015
【図１４】
2004095211.tif 000016
【図１５】
2004095211.tif 000017
【図１６】
2004095211.tif 000018
【図１７】
2004095211.tif 000019
【図１８】
2004095211.tif 000020
【図１９】
2004095211.tif 000021